(57)【要約】      （修正有）【課題】消費電力を抑えフリッカのない良好な表示を行う表示装置を提供する。【解決手段】画像がフリッカを視認させ易いチラツキ画像であるか否かを判定する画像判定部３５によって画像がチラツキ画像であると判定された場合に、チラツキ画像の階調を変更する制御を行う階調制御部８０に対して、フリッカが視認されやすい画素の階調を高くまたは低く変更する制御を行わせるための階調制御情報を出力する制御情報出力部３６を備える。【選択図】図１
2014211535.tif 000002
【特許請求の範囲】
【請求項１】
表示装置の制御装置であって、
画像がフリッカを視認させ易い特徴を有するチラツキ画像であるか否かを判定する画像判定部と、
上記画像判定部によって上記画像が上記チラツキ画像であると判定された場合に、当該チラツキ画像の階調を変更する制御を行う階調制御部に対して、フリッカが視認されやすい画素の当該階調を高くまたは低く変更する制御を行わせるための階調制御情報を出力する制御情報出力部とを備えることを特徴とする制御装置。
【請求項２】
上記制御情報出力部は上記画像判定部によって上記画像が上記チラツキ画像であると判定された場合に、当該チラツキ画像の階調を変更する制御を行う階調制御部に対して、フリッカが視認されやすい画素を含む当該画像の全体または一部の階調を高くまたは低く変更する制御を行わせるための階調制御情報を出力することを特徴とする請求項１に記載の制御装置。
【請求項３】
上記制御装置は、バックライトを備えた表示装置の制御装置であって、
上記制御情報出力部は、上記画像判定部によって上記画像が上記チラツキ画像であると判定された場合に、上記バックライトの輝度の制御を行うバックライト制御部に対して、当該輝度を低下または上昇させる制御を行わせるための輝度制御情報を出力することを特徴とする請求項１または２に記載の制御装置。
【請求項４】
上記画像判定部は、上記画像における複数の画素のうち、中間階調の範囲内において上記フリッカが生じ易い階調として予め定められたチラツキ階調の範囲内の階調である画素の割合が第１閾値以上であるか否かを判定することで、上記画像が上記チラツキ画像であるか否かを判定することを特徴とする請求項１から３までのいずれか１項に記載の制御装置。
【請求項５】
上記表示装置の周辺の照度の検出結果に応じて、上記チラツキ階調の上限および下限のいずれか少なくとも一方を変更する階調範囲制御部を備えていることを特徴とする請求項４に記載の制御装置。
【請求項６】
上記画像判定部は、上記表示装置に上記画像を所定のリフレッシュレート以下で表示させる場合に、上記画像が上記チラツキ画像であるか否かを判定することを特徴とする請求項１から５までのいずれか１項に記載の制御装置。
【請求項７】
上記階調制御情報および上記輝度制御情報のそれぞれは、上記表示装置に上記画像を表示するときの当該画像における複数の画素のそれぞれの正面輝度を変化させないように設定される、上記チラツキ画像の階調を高く変更する制御を行う場合の階調の変化の度合い、および、上記バックライトの輝度を低下させる制御を行う場合の輝度の変化の度合いに関する情報を含むことを特徴とする請求項３に記載の制御装置。
【請求項８】
上記画像判定部は、上記画像における複数の画素のうち、中間階調の範囲内において上記フリッカが生じ易い階調として予め定められたチラツキ階調の範囲内の階調である画素の割合が第１閾値以上であるか否かを判定することで、上記画像が上記チラツキ画像であるか否かを判定し、
上記制御情報出力部は、上記チラツキ階調の範囲内の階調である画素の割合が上記第１閾値未満である場合、上記階調制御情報および／または上記輝度制御情報を出力せず、
上記チラツキ階調の範囲内の階調である画素の割合が上記第１閾値以上である場合、上記階調制御情報および／または上記輝度制御情報を出力することを特徴とする請求項３に記載の制御装置。
【請求項９】
上記画像の内容が変化する間隔を検知する更新検知部を備え、
上記画像判定部は、上記画像における複数の画素のうち、中間階調の範囲内において上記フリッカが生じ易い階調として予め定められたチラツキ階調の範囲内の階調である画素の割合が第１閾値以上であるか否かを判定することで、上記画像が上記チラツキ画像であるか否かを判定し、
上記制御情報出力部は、
上記間隔が所定の間隔閾値以下である場合、または、上記間隔が上記間隔閾値より大きくかつ上記チラツキ階調の範囲内の階調である画素の割合が上記第１閾値未満である場合、上記階調制御情報および／または上記輝度制御情報を出力せず、
上記間隔が上記間隔閾値より大きくかつ上記チラツキ階調の階調である画素の割合が上記第１閾値以上である場合、上記階調制御情報および／または上記輝度制御情報を出力することを特徴とする請求項３に記載の制御装置。
【請求項１０】
１つの絵素は、色の異なる複数の画素を含み、
上記画像判定部は、上記画像における上記チラツキ階調の範囲内の階調である画素の割合に、色毎に重みづけをした合計値を求め、上記合計値が第２閾値以上であるか否かを判定することを特徴とする請求項４に記載の制御装置。
【請求項１１】
１つの絵素は、色の異なる複数の画素を含み、
上記画像判定部は、上記絵素に含まれる上記複数の画素の階調から上記絵素の輝度を求め、上記絵素の輝度が所定の輝度範囲の範囲内にあれば、上記絵素に含まれる上記複数の画素は上記チラツキ階調の範囲内の階調であると判定することを特徴とする請求項４に記載の制御装置。
【請求項１２】
上記画像判定部は、上記チラツキ階調の範囲内の階調である複数の画素で構成される所定のパターンが上記画像中に存在するか否かを判定することで、上記画像が上記チラツキ画像であるか否かを判定することを特徴とする請求項４に記載の制御装置。
【請求項１３】
請求項１から１２までのいずれか１項に記載の制御装置と、
上記階調制御情報を受けて、上記チラツキ画像の階調を変更する制御を行う階調制御部とを備えていることを特徴とする表示装置。
【請求項１４】
表示装置の制御方法であって、
画像がフリッカを視認させ易い特徴を有するチラツキ画像であるか否かを判定する画像判定ステップと、
上記画像判定ステップで上記画像が上記チラツキ画像であると判定された場合に、当該チラツキ画像の階調を変更する制御を行う階調制御部に対して、フリッカが視認されやすい画素の当該階調を高くまたは低く変更する制御を行わせるための階調制御情報を出力する制御情報出力ステップを含んでいることを特徴とする制御方法。
【発明の詳細な説明】
【技術分野】
【０００１】
本発明は制御装置、表示装置、および表示装置の制御方法に関する。
【背景技術】
【０００２】
近年、液晶表示装置に代表される薄型、軽量、および低消費電力の表示装置が著しく普及している。こうした表示装置の典型的な搭載形態は、例えば携帯電話機、スマートフォン、ノート型ＰＣ（Personal Computer）等である。また、今後はより薄型の表示装置である電子ペーパーの開発および普及も急速に進むことが期待されている。このような状況の中、各種の表示装置において消費電力を低下させることが共通の課題となっている。
【０００３】
従来のＣＧ（Continuous Grain）シリコンＴＦＴ液晶表示パネル、またはアモルファスシリコンＴＦＴ液晶表示パネル等では、６０Ｈｚで画面リフレッシュを行う必要がある。そこで、従来の液晶表示パネルの省電力化のために、６０Ｈｚより低いリフレッシュレートを実現する試みがなされている。
【０００４】
特許文献１には、一連のフレームに渡って画像中にストライプが存在しない場合、当該フレームがフリッカを生じ易い特徴を有しないと判断し、リフレッシュレートを低下させる液晶ディスプレイが記載されている。
【先行技術文献】
【特許文献】
【０００５】
【特許文献１】特開２００９−２５１６０７号公報（２００９年１０月２９日公開）
【発明の概要】
【発明が解決しようとする課題】
【０００６】
しかしながら、ＣＧシリコンＴＦＴまたはアモルファスシリコンＴＦＴを用いた液晶表示パネルでは、表示品位を維持するためには、せいぜい５０Ｈｚまでしかリフレッシュレートを低下させることはできない。
【０００７】
近年、インジウム（Ｉｎ）、ガリウム（Ｇａ）、亜鉛（Ｚｎ）を用いた酸化物半導体によってＴＦＴを構成した酸化物半導体液晶表示パネルの開発が鋭意進められている。酸化物半導体によって構成されたＴＦＴでは、オフ状態における電流の漏れが少ない。そのため、酸化物半導体液晶表示パネルでは、従来のように６０Ｈｚで画面リフレッシュを行う必要がなく、リフレッシュレートを１Ｈｚ程度にまで低減させることができる。それゆえ、消費電力を低減することができる。
【０００８】
酸化物半導体液晶表示パネルでは、スクロール等の高速で画像更新が起こる場合には、画像更新に合わせて高い周波数での駆動（以下、「高リフレッシュ駆動」と呼ぶ）が行われ、静止画のように画像更新が起こらない場合には、低い周波数での駆動（以下、「低リフレッシュ駆動」と呼ぶ）が行われる。
【０００９】
しかしながら、液晶の応答速度が遅い場合、画素容量が均一でない（容量バラツキ）等の理由により、低リフレッシュレートで表示装置の駆動を行うと、チラツキ（フリッカ）が視認され易くなり、表示品位が低下してしまうという問題が生じる場合がある。液晶の応答速度が遅い場合、リフレッシュされない期間に渡って液晶の配向状態が変化するので、階調の変化が視認され易い。また、オフ状態のＴＦＴを介して画素から電荷が漏れるので、画素容量が均一でない場合、画素毎に画素電位の変化が異なってしまう。
【００１０】
しかしながら、上記の問題を解消するため、高リフレッシュ駆動を行った場合、低消費電力化を図ることができず、酸化物半導体液晶表示パネルのメリットを活かすことができない。
【００１１】
本発明の一態様によれば、消費電力を抑え、かつ良好な表示を行う表示装置を実現することができる。
【課題を解決するための手段】
【００１２】
本発明の一態様に係る制御装置は、表示装置の制御装置であって、画像がフリッカを視認させ易い特徴を有するチラツキ画像であるか否かを判定する画像判定部と、上記画像判定部によって上記画像が上記チラツキ画像であると判定された場合に、当該チラツキ画像の階調を変更する制御を行う階調制御部に対して、フリッカが視認されやすい画素の当該階調を高くまたは低く変更する制御を行わせるための階調制御情報を出力する制御情報出力部と、を備えている。
【００１３】
本発明の一態様に係る制御方法は、表示装置の制御方法であって、画像がフリッカを視認させ易い特徴を有するチラツキ画像であるか否かを判定する画像判定ステップと、上記画像判定ステップで上記画像が上記チラツキ画像であると判定された場合に、当該チラツキ画像の階調を変更する制御を行う階調制御部に対して、フリッカが視認されやすい画素の当該階調を高くまたは低く変更する制御を行わせるための階調制御情報を出力する制御情報出力ステップと、を含んでいる。
【発明の効果】
【００１４】
本発明の一態様によれば、良好な表示を行うことができるという効果を奏する。
【図面の簡単な説明】
【００１５】
【図１】本発明の一態様に係る表示装置の構成を示すブロック図である。
【図２】上記表示装置の制御方法について説明するための図であり、（ａ）は、酸化物半導体液晶表示パネルを１Ｈｚのリフレッシュレートで駆動した時の、各階調のフリッカ率を示すグラフであり、（ｂ）および（ｃ）は、各画素の階調値を高く変更した状態を示し、（ｄ）は、バックライトの輝度を低下させた状態を示し、（ｅ）は、上記の階調変更および輝度低下の前後における正面輝度の状態を示す。
【図３】上記表示装置において静止画を表示するときのタイミングチャートである。
【図４】上記表示装置において動画を表示するときのタイミングチャートである。
【図５】上記表示装置に関し、階調・輝度制御情報を出力するか否かを決定するフローを示すフローチャートである。
【図６】上記表示装置の画面を示す図である。
【図７】上記表示装置においてパターンマッチングによりチラツキ画像か否かを判定する方法について説明するための図であり、（ａ）は、所定のパターンを示す図であり、（ｂ）および（ｃ）は、画像の各画素の階調を表す階調マップを示す図である。
【図８】周辺照度とチラツキ階調との関係を説明するための図であり、（ａ）は、階調に対するフリッカ率を示すグラフであり、（ｂ）は、周辺環境とチラツキ階調の関係を示す図表である。
【図９】本発明の他の態様に係る表示装置の構成を示すブロック図である。
【図１０】本発明のさらに他の態様に係る表示装置の構成を示すブロック図である。
【図１１】本発明のさらに他の態様に係る表示装置の構成を示すブロック図である。
【図１２】本発明のさらに他の態様に係る表示装置の構成を示すブロック図である。
【図１３】（ａ）は、擬似ドット反転処理による表示データの階調の変化を示す図であり、（ｂ）は、対応する画素の輝度率の変化を示す図である。
【発明を実施するための形態】
【００１６】
本発明の実施の形態について図１〜図１３に基づいて説明すれば以下のとおりである。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。
【００１７】
〔実施形態１〕
図２（ａ）は、酸化物半導体液晶表示パネルを１Ｈｚのリフレッシュレートで駆動した時の、各階調のフリッカ率を示すグラフであり、図２（ｂ）および（ｃ）は、各画素の階調値を高く変更した状態を示し、図２（ｄ）は、バックライトの輝度を低下させた状態を示し、図２（ｅ）は、上記の階調変更および輝度低下の前後における正面輝度の状態を示す。図２（ａ）に示すフリッカ率は、フリッカの視認されやすさを表し、その値が大きいほどフリッカが視認され易い。例えば、フリッカ率１．５％が、フリッカが視認され易いか否かの１つの基準になる。低リフレッシュレートで駆動した場合に、フリッカが生じ易いか否かは、表示する画像の階調に依存する。図２では、最小の階調（黒）が０、最大の階調（白）が２５５である。なお、フリッカの視認されやすさは、画面の大きさおよび製造工程によっても異なる。パネル１はパネル２に比べて大型の液晶表示パネルである。パネル１とパネル２とは製造工程も異なる。
【００１８】
中間階調では液晶の応答速度が比較的遅い。また、中間階調では、ＴＦＴを介した電荷の漏れによる階調の変化（液晶分子の配向の変化）が生じ易い。ここで、中間階調とは、飽和階調（最小の階調および最大の階調）を除いた階調のことである。例えば最小の階調を０、最大の階調を２５５としたときは、階調１から階調２５４の範囲が中間階調である。ノーマリブラックの場合、中間階調の中でも、例えば階調１０から階調２００の範囲でフリッカがより視認され易い。さらに、階調２０から階調８０の範囲でフリッカがより視認されやすく、特に階調４０から階調６０の範囲でフリッカが視認され易い。例えば、上記の範囲の階調の画素が多く含まれる画像を、１Ｈｚのリフレッシュレートで表示した場合、１秒毎に画面がリフレッシュされるので、ユーザは１秒毎にフリッカを視認する可能性がある。
【００１９】
また、フリッカの視認し易さは、図２に示すように、特に階調１０以上の中間階調において低階調側である程、顕著になる傾向がある。そこで、本実施形態では、画像に所定の範囲の階調（中間階調の範囲内においてフリッカが生じ易い階調として予め定められたチラツキ階調の範囲内）の画素が多く含まれる場合（以下、このような画像を「チラツキ画像」と呼ぶ）、階調を高く変更するようにしている。これにより、チラツキ階調の範囲内の画素が多く含まれていることで生じるフリッカの視認し易さを抑制する。
【００２０】
また、チラツキ階調はバックライト（以下、「ＢＬ」と略称する）の輝度によらず同じであるが、ＢＬ輝度が暗い場合には人の目には見えにくいという傾向がある。そこで、本実施形態では、画像がチラツキ画像である場合、ＢＬ輝度を低下させるようにしている。これにより、ＢＬ輝度が明るいことによるフリッカの視認し易さを抑制する。
【００２１】
さらに、上記のように、階調を高くし、かつ、ＢＬ輝度を低下させ、変更前後の各画素の正面輝度の変化を抑制する。このため、表示品位の変化も抑制する。
【００２２】
例えば、図２（ｂ）は、階調変更前の画像データの階調を示し、図２（ｃ）は、階調変更後の画像データの階調を示す。これらの図においては、Ｒ画素のみに注目している。階調変更前の画像データにおいて、対象領域のＲ画素の階調は４０であるとする。このとき、階調４０はチラツキ階調の範囲内の階調であり、画像判定部３５によって画像データがチラツキ画像であると判定された場合、制御情報出力部３６は、階調制御情報を階調制御部８０に送信し、階調制御部８０は該階調制御情報を受けて、例えば、図２（ｂ）に示すように、変更倍率２倍で階調値を８０に変更する（ア）。なお、ここでは理解のしやすさのため、階調と画素の透過率とが比例すると仮定している。階調と画素の透過率とが比例しない場合、透過率×ＢＬ輝度が変化しないように（すなわち画素の輝度が変化しないように）、階調およびＢＬ輝度を変更する。画像判定部、制御情報出力部、および階調制御部等の構成については後述する。
【００２３】
例えば、図２（ｄ）は、輝度低下前のＢＬ輝度（輝度が最高値である場合を１００％で示す）および輝度変更後のＢＬ輝度（５０％）を示す。輝度低下前において、ＢＬ輝度は、最高値（１００％）であるものとする。
【００２４】
このとき、制御情報出力部３６は、輝度制御情報をＢＬ制御部９０に送信し、ＢＬ制御部９０は該階調制御情報を受けて、例えば、低下倍率１／２倍でＢＬ輝度を５０％に変更する（イ）。
【００２５】
ここで、階調の変更倍率は、階調の変更倍率＝変化後の画像データ中の画素の階調／変化前の画像データ中の画素の階調で与えられる。一方、ＢＬ輝度の変更倍率は、ＢＬ輝度の変更倍率＝現在のＰＷＭ信号の周波数／ＰＭＷ信号の最大周波数で与えられる。
【００２６】
以上の例では、（ア）階調の変化量および（イ）ＢＬ輝度の変化量は、それぞれ、画像における複数の画素のそれぞれの正面輝度（人の目が感じる輝度）を変化させないように設定されている。
【００２７】
（表示装置１の構成）
図１は、本発明に係る一実施形態の表示装置１の構成を示すブロック図である。表示装置１は、表示部１０、表示駆動部２０、ホスト制御部３０（制御装置）、階調制御部８０、およびＢＬ制御部（バックライト制御部）９０を備えている。
【００２８】
表示部１０は、例えば、画面として、アクティブマトリクス型液晶表示パネルとしての酸化物半導体液晶表示パネルの他、ＢＬを備えている。酸化物半導体液晶表示パネルとは、二次元的に配列された複数の画素の少なくとも１つ毎に対応して設けられたスイッチング素子に、前述した酸化物半導体−ＴＦＴを採用した液晶表示パネルである。酸化物半導体−ＴＦＴは、半導体層に酸化物半導体が用いられたＴＦＴである。酸化物半導体としては、例えば、インジウム・ガリウム・亜鉛の酸化物を用いた酸化物半導体（Ｉｎ−Ｇａ−Ｚｎ−Ｏ）がある。酸化物半導体−ＴＦＴは、オン状態において流れる電流が大きく、オフ状態におけるリーク電流が小さい。そのため、スイッチング素子に、酸化物半導体−ＴＦＴを採用したことにより、画素開口率を向上させることができる上に、画面表示のリフレッシュレートを１Ｈｚ程度にまで低減させることができる。リフレッシュレートの低減は、省電力効果をもたらす。なお、画素開口率の向上は、表示を明るくする効果、または表示の明るさをＣＧシリコン液晶表示パネルなどと同じにする場合には、ＢＬの光量を下げることによる省電力効果をもたらす。
【００２９】
（ホスト制御部３０の構成）
ホスト制御部３０は、画面更新検知部３１、ＣＰＵ３２、ホストメモリ３３、ホストＴＧ３４（ホストタイミングジェネレータ）、画像判定部３５、および制御情報出力部３６を備えている。ホスト制御部３０は、例えば基板上に形成された制御回路で構成される。
【００３０】
上記画面更新検知部３１は、表示部１０の画面の表示を更新する必要があるかどうかを検知する。例えば、表示装置１内で起動され実行中のアプリケーションが、表示の更新を画面更新検知部３１に通知してきた場合、表示装置１のユーザが入力部を介して表示の更新を画面更新検知部３１に通知してきた場合、インターネットを介したデータストリーミングまたは放送波などによる表示の更新が画面更新検知部３１に通知された場合などに、画面更新検知部３１は、ＣＰＵ３２に画面の表示（画像）を更新する必要があることを知らせる。
【００３１】
ここでは、画面更新検知部３１に入力される画像データは、表示が更新されるフレームの画像と、該画像データを表示するタイミングを示す画像更新フラグ（タイムリファレンス）とを含む。複数フレームに渡って画像の内容が変化しない場合、変化しない間のフレームのデータは、画像データには含まれない。画面更新検知部３１は、画像更新フラグに基づいて、表示の更新の必要性を検知することができる。画面更新検知部３１は、画像の内容が変化したフレームの時刻を記憶する。画面更新検知部３１は、画像更新フラグに基づいて、前に画像の内容が変化したフレームから（表示更新されるフレームから）次に画像の内容が変化するフレームまでの間隔を検知する。画像の内容が変化する間隔から、表示が動画であるか静止画であるかを判別することができる。画面更新検知部３１は、画像更新フラグと画像データとをＣＰＵ３２に出力する。また、画面更新検知部３１は、画像の内容が変化する間隔を、制御情報出力部３６に出力する。
【００３２】
なお、画像データに、画像更新フラグが含まれておらず、全てのフレームのデータが含まれている場合、画面更新検知部３１は、前のフレームの画像と後のフレームの画像とを比較することにより、画像の内容が変化したか否かを判断することができる。画面更新検知部３１は、この比較結果より、表示の更新の必要性を検知することができる。この場合も、画面更新検知部３１は、更新されたフレームの時刻から、画像の内容が変化してから次に画像の内容が変化するまでの間隔を検知する。
【００３３】
ＣＰＵ３２は、１画面分の画像データを画面更新検知部３１から取得し、ホストメモリ３３に画像データを書き込む。また、ＣＰＵ３２は、画像判定部３５に画像データを出力する。ＣＰＵ３２は、更新フラグをホストＴＧ３４に出力する。
【００３４】
ホストメモリ３３は、ＶＲＡＭ（Video Random Access Memory）等で構成される記憶装置である。
【００３５】
ホストＴＧ３４は、ＣＰＵ３２から更新フラグを受け取ると、ホストメモリ３３から画像データを取得し、表示駆動部２０に画像データを転送する。ホストＴＧ３４は、表示の更新が必要な時のみ、更新されるフレーム画像の画像データを表示駆動部２０に転送する。画像データの転送は、例えばＭＩＰＩ（ミピ：Mobile Industry Processor Interface）等のモバイル機器のデータ通信仕様に従って行われる。なお、ホストＴＧ３４は、画像データと共に同期信号を表示駆動部２０に転送する。
【００３６】
画像判定部３５は、画像データが示す画像が、フリッカが生じ易い画像であるか否かを判定する。具体的には、画像判定部３５は、画像中の各画素について、階調２０から階調８０の範囲（チラツキ階調の範囲内）の階調であるか否かを判定する。画像判定部３５は、画像の所定の領域におけるチラツキ階調の範囲内の階調である画素の割合を求める。具体的には、画像判定部３５は、例えば１０階調刻みで複数の画素を分類したヒストグラムを生成し、ヒストグラムからチラツキ階調の範囲内の階調である画素の割合を求める。ここでは上記所定の領域は画像の全体であるが、上記所定の領域は画像の一部の領域であってもよい。画像判定部３５は、チラツキ階調の範囲内の階調である画素の割合が３０％（第１閾値）以上であるか否かを判定する。画像判定部３５は、上記割合が３０％以上である場合、その画像が、フリッカが生じ易い画像であると判定し、上記割合が３０％未満である場合、その画像が、フリッカが生じ易い画像ではないと判定する。画像判定部３５は、チラツキ階調の範囲内の階調である画素の割合が第１閾値以上であるか否かの判定結果を、制御情報出力部３６に出力する。なお、チラツキ階調の範囲内および第１閾値等の値は、一例であり、他の値であってもよい。
【００３７】
これにより、画像中のチラツキ階調の範囲内の階調である画素（以下、単に「チラツキ画素」という）の割合に閾値（第１閾値）を設定している。よって、この第１閾値を実験などによって適切に設定することにより、ユーザがチラツキを認識しない画像までチラツキ画像としての処理を行うことを回避することができる。よって、不必要な処理を行わなくて済むので、より消費電力を低減させることができる。
【００３８】
なお、画像判定部３５は、表示部１０に画像を所定のリフレッシュレート以下（例えば、１０Ｈｚ以下であるがこれに限定されない）で表示させる場合に、画像がチラツキ画像であるか否かを判定しても良い。これにより、チラツキが視認され易いか否かの境目としての所定のリフレッシュレートを実験などによって適切に設定することにより、ユーザがチラツキを認識しないようなリフレッシュレートで駆動されている場合にまで、必要以上にチラツキ画像か否かの判定を行わなくて済むので、より消費電力を低減させることができる。
【００３９】
制御情報出力部３６は、表示部１０を駆動するリフレッシュレートを設定し、表示駆動部２０に通知をするとともに、画像判定部３５の判定結果に基づいて、チラツキ画像と判定された画像の階調を高く変更する制御を行わせるための階調制御情報を階調制御部８０に出力するとともに、ＢＬ輝度を低下させる制御を行わせるための輝度制御情報をＢＬ制御部９０に出力する。
【００４０】
階調制御情報には、画像に含まれる複数の画素の各階調値を所定量（所定の割合）だけ高く変更するための情報（例えば、液晶に印加される電圧の変化量などに関する情報）の他、階調を変化させるか否かの指示を示す情報などが含まれている。
【００４１】
また、輝度制御情報には、ＢＬ輝度を所定量（所定の割合）だけ低下させるための情報〔例えば、ＰＷＭ（pulse width modulation）信号の周波数の変化量などに関する情報〕の他、ＢＬ輝度を変化させるか否かの指示を示す情報などが含まれている。
【００４２】
また、階調制御情報は、表示部１０に画像を表示するときの当該画像における複数の画素のそれぞれの正面輝度を変化させないように設定される階調の変化の度合いに関する情報を含んでも良い。一方、輝度制御情報は、表示部１０に画像を表示するときの当該画像における複数の画素のそれぞれの正面輝度を変化させないように設定される、チラツキ画像の階調を高く変更する制御を行う場合の階調の変化の度合い、および、上記ＢＬ輝度の変化の度合いに関する情報を含んでも良い。より具体的には、各画素の正面輝度を変化させないような階調の変更倍率と、ＢＬ輝度の低下倍率とが予め対応づけられて記録されている。上記構成によれば、各画素の正面輝度が変化しないので、より良好な表示を行うことができる。
【００４３】
なお、本実施形態では、表示が静止画である場合、リフレッシュレートは上記所定のリフレッシュレートより低い第１リフレッシュレート（例えば１Ｈｚ）に設定される。また、表示が動画である場合、第２リフレッシュレート（３０Ｈｚ）に設定しても良い。表示が動画である場合、短い間隔で画像の内容が変化するので、チラツキ階調の範囲内の階調の画素が多くてもフリッカが視認されにくい。そのため、例えば動画の更新頻度が３０Ｈｚである場合に、３０Ｈｚより高い６０Ｈｚでリフレッシュする必要は無い。例えば動画の更新頻度が１５Ｈｚである場合、１５Ｈｚでリフレッシュしてもよいし、３０Ｈｚでリフレッシュしてもよい。制御情報出力部３６は、設定されたリフレッシュレートで表示部１０が駆動されるよう、表示駆動部２０にリフレッシュレート設定情報を通知する。
【００４４】
また、本実施形態の制御情報出力部３６は、上記の各情報の他、画面更新検知部３１から送信される画像更新フラグを階調制御部８０およびＢＬ制御部９０に出力する。これにより、階調制御部８０およびＢＬ制御部９０のそれぞれは、画像更新が行われたか否かを認識することができる。
【００４５】
また、本実施形態の制御情報出力部３６は、チラツキ階調の範囲内の階調である画素の割合が第１閾値未満である場合、階調制御情報および輝度制御情報を出力せず、チラツキ階調の範囲内の階調である画素の割合が第１閾値以上である場合、階調制御情報および輝度制御情報を出力するようにしている。これにより、第１閾値を実験などによって適切に設定することにより、ユーザがチラツキを認識しない画像までチラツキ画像としての処理を行うことを回避することができる。よって、不必要な処理を行わなくて済むので、より消費電力を低減させることができる。
【００４６】
さらに、本実施形態の制御情報出力部３６は、画面更新検知部３１が検知した画像の内容が変化する間隔が所定の間隔閾値以下である場合、または、上記間隔が上記間隔閾値より大きくかつチラツキ階調の範囲内の階調である画素の割合が第１閾値未満である場合、階調制御情報および輝度制御情報を出力せず、上記間隔が上記間隔閾値より大きくかつチラツキ階調の階調である画素の割合が第１閾値以上である場合、階調制御情報および輝度制御情報を出力するようにしている。これにより、上記間隔閾値を実験などによって適切に設定することにより、ユーザがチラツキを認識しない間隔で画像が表示されている場合にまでチラツキ画像としての処理を行うことを回避することができる。よって、不必要な処理を行わなくて済むので、より消費電力を低減させることができる。
【００４７】
（階調制御部８０の構成）
階調制御部８０は、制御情報出力部３６から画像更新フラグ（画像更新あり）および階調制御情報を受け取ると、ホストメモリ３３に記録されている画像データを読出し、画像データの階調を所定量だけ高く変更してホストＴＧ３４に送信する。階調の変更は画像全体に対して行われる。一方、画像更新フラグ（画像更新あり）を受けとったが、階調制御情報を受け取っていない場合は、ホストメモリ３３から読み出した画像データをそのままホストＴＧ３４に送信する。
【００４８】
（ＢＬ制御部９０の構成）
ＢＬ制御部９０は、制御情報出力部３６から画像更新フラグ（画像更新あり）および輝度制御情報を受けとると、表示部１０のＢＬ輝度を予め設定されている設定値から所定量だけ低下させる。一方、画像更新フラグ（画像更新あり）を受けとったが、輝度制御情報を受け取っていない場合は、表示部１０のＢＬ輝度を上記予め設定されている設定値とする。
【００４９】
（表示駆動部２０の構成）
表示駆動部２０は、例えば、表示部１０のガラス基板にＣＯＧ（Chip on Glass）実装された、いわゆるＣＯＧドライバであり、上記画面に、画像データに基づく表示を行わせるように、表示部１０を駆動する。表示駆動部２０は、メモリ２１、ＴＧ２２（タイミングジェネレータ）、およびソースドライバ２３を備える。
【００５０】
メモリ２１は、ホスト制御部３０から転送された画像データを記憶する。メモリ２１は、次に表示の更新が行われるまで（すなわち画像の内容が変化しない限り）、画像データを保持し続ける。
【００５１】
ＴＧ２２は、ホスト制御部３０から指示されたリフレッシュレートに基づいて、メモリ２１から画像データを読み出し、画像データをソースドライバ２３に出力する。また、ＴＧ２２は、制御情報出力部３６から指示されたリフレッシュレートで表示部１０を駆動するためのタイミング信号を生成し、ソースドライバ２３に供給する。なお、ＴＧ２２は、タイミング信号を生成するためにホストＴＧから入力される同期信号を利用してもよい。
【００５２】
ソースドライバ２３は、タイミング信号に従って、表示部１０の画素に、画像データに対応した表示電圧を書き込む。
【００５３】
なお、表示装置１の好適な例として、例えば、携帯電話機、スマートフォン、ノート型ＰＣ、タブレット端末、電子書籍リーダー、またはＰＤＡ等、特に携行性を重視する表示装置を挙げることができる。
【００５４】
（表示駆動方法）
図３は、表示装置１において静止画を表示するときのタイミングチャートである。図３は、静止画像Ａと静止画像Ｂとが順に表示される場合を示す。画像Ａは、チラツキ階調の範囲内の階調（階調２０〜階調８０）の画素の割合が第１閾値よりも小さく、フリッカを生じにくい画像である。画像Ｂは、チラツキ階調の範囲内の階調の画素の割合が第１閾値（３０％）以上であり、フリッカを生じ易い画像である。そのため、画像Ｂは、階調が高く変更され〔図３（ｄ）〕、このとき、ＢＬ輝度は低下される〔図３（ｅ）〕。
【００５５】
図３（ａ）に示すように、画像の内容が変化したときのみ、ホスト制御部３０から表示駆動部２０に１画面分の画像データ（画像Ａ、画像Ｂ）が転送される。画像Ａの画像データが転送された後、次にホスト制御部３０から表示駆動部２０に画像データが転送されるのは、表示が画像Ｂに更新されるときである。
【００５６】
表示駆動部２０は、受け取った画像データ（画像Ａ）をメモリ２１に格納すると共に、図３（ｂ）のドライバ内部垂直同期信号に同期したタイミングで、表示部１０の表示を画像Ａに更新する〔図３の（ｃ）〕。ドライバ内部垂直同期信号は、所定時間（１秒）毎に、ＴＧ２２が生成する。なお、表示駆動部２０が画像データを受け取ってから表示するまでの遅延時間は、ここでは省略している。点線のパルスは、そこでは垂直同期信号が生成されていないことを示す。
【００５７】
その後、画像Ａの表示のリフレッシュは、１秒毎に（１Ｈｚで）行われる。表示駆動部２０において、１秒毎に、ＴＧ２２がメモリ２１から画像データ（画像Ａ）を読み出し、ソースドライバ２３が画像データに対応する電位を表示部１０に供給する。
【００５８】
表示駆動部２０は、画像Ｂを示す表示データを受け取ると、リフレッシュレートに関係なく、表示部１０の表示を画像Ｂに更新する。その後、画像Ｂの表示のリフレッシュは、１秒毎に行われる。表示駆動部２０において、１秒毎に、ＴＧ２２がメモリ２１から画像データ（画像Ｂ）を読み出し、ソースドライバ２３が画像データを表示部１０に供給する。このとき、ドライバ内部垂直同期信号も、１Ｈｚのリフレッシュレートに合わせて生成される。
【００５９】
図４は、表示装置１において動画を表示するときのタイミングチャートである。図４は、動画である画像Ａ〜画像Ｅが順に表示される場合を示す。画像Ａ、Ｂ、Ｄ、Ｅはそれぞれ１／３０秒間表示され、画像Ｃは１／１５秒間表示される。画像の内容が変化する間隔は、画像Ａ〜画像Ｅのいずれでも間隔閾値（例えば４００ｍｓ）以下である。そのため、画像Ａ〜画像Ｅは動画であると判断されるので、制御情報出力部３６は、階調制御情報および輝度制御情報を出力しない。
【００６０】
図４（ａ）および（ｂ）に示すように、画像の内容が変化したときのみ、垂直同期信号（転送）に同期したタイミングで、ホスト制御部３０から表示駆動部２０に１画面分の画像データ（画像Ａ〜画像Ｅ）が転送される。
【００６１】
表示駆動部２０は、受け取った画像データ（画像Ａ）をメモリ２１に格納すると共に、図４（ｃ）のドライバ内部垂直同期信号に同期したタイミングで、表示部１０の表示を画像Ａに更新する〔図４の（ｄ）〕。ドライバ内部垂直同期信号は、ホスト制御部３０から表示データを受け取るタイミングに応じて、ＴＧ２２が生成する。
【００６２】
（階調・ＢＬ輝度制御フロー）
図５は、ホスト制御部３０が階調・ＢＬ輝度制御するフローチャートを示す。画面更新検知部３１が表示の更新（画像の内容の変化）を検知する毎に、図５のフローが実行される。このとき、画面更新検知部３１は、制御情報出力部３６（およびＣＰＵ３２）に対して、画像更新の有無を示す情報、例えば、画像更新フラグ（画像更新あり；例えば「１」）および画像更新フラグ（画像更新なし；例えば、「０」）を出力する。
【００６３】
画面更新検知部３１は、画像更新フラグ等から画像の内容の変化を検知すると、画像の内容が変化する間隔を検知する。制御情報出力部３６は、画像の内容が変化する間隔（更新間隔）が所定の間隔閾値（例えば４００ｍｓ）以下であるか否かを判定する（Ｓ１）。
【００６４】
画像の内容が変化する間隔が間隔閾値以下である場合（Ｓ１でＹｅｓ）、制御情報出力部３６は、表示される画像が動画であると判断し、階調・輝度制御情報を出力しない（Ｓ２）。
【００６５】
画像の内容が変化する間隔が間隔閾値より大きい場合（Ｓ１でＮｏ）、制御情報出力部３６は、表示される画像が静止画であると判断する。画像判定部３５は、画像全体におけるチラツキ階調の範囲内（階調２０から階調８０の範囲）の階調である画素の割合を求める。そして、画像判定部３５は、チラツキ階調の範囲内の階調である画素の割合が第１閾値（３０％）以上であるか否かを判定する（Ｓ３）。
【００６６】
画像の内容が変化する間隔が間隔閾値より大きく、かつチラツキ階調の範囲内の階調である画素の割合が第１閾値（３０％）未満である場合（Ｓ３でＮｏ）、制御情報出力部３６は、階調・輝度制御情報を出力しない（Ｓ４）。
【００６７】
画像の内容が変化する間隔が間隔閾値より大きく、かつチラツキ階調の範囲内の階調である画素の割合が第１閾値（３０％）以上である場合（Ｓ３でＹｅｓ）、制御情報出力部３６は、階調・輝度制御情報を出力する（Ｓ５）。
【００６８】
（表示装置１の効果）
フリッカの視認し易さは、階調に大きく依存し、階調が中間階調（特に階調１０以上の中間階調において低階調側）である程、顕著になる傾向がある。そこで、本実施形態では、画像判定部３５が、画像がチラツキ画像であると判定した場合、制御情報出力部３６は、階調制御情報を出力し、階調制御部８０を制御して階調を高く変更する。これにより、チラツキ階調の範囲内の画素が多く含まれていることで生じるフリッカの視認し易さを抑制できる。
【００６９】
また、チラツキ階調はＢＬ輝度によらず同じであるが、ＢＬ輝度が暗い場合には人の目には見えにくいという傾向がある。そこで、本実施形態では、画像判定部３５が、画像がチラツキ画像であると判定した場合、制御信号出力部３６は、輝度制御情報を出力し、ＢＬ制御部９０を制御して輝度を低下させている。これにより、ＢＬ輝度が明るいことによるフリッカの視認し易さを抑制できる。
【００７０】
さらに、上記のように、階調（すなわち画素の透過率）を高くし、かつ、ＢＬ輝度を低下させれば（例えば、ＢＬ輝度３００ｃｄ／ｍ２，６０階調からＢＬ輝度１５０ｃｄ／ｍ２，１２０階調に変更する）、変更前後の各画素の正面輝度の変化を抑制することができるため、表示品位の低下を防ぐこともできる。
【００７１】
一方、フリッカの視認し易さは、駆動周波数にも大きく依存し、リフレッシュレートが低下する程、顕著になる傾向がある。このため、上記階調・輝度制御情報が出力される場合、通常は、表示部１０を低リフレッシュ駆動させている蓋然性が高い。また、低リフレッシュ駆動であれば、表示部１０の駆動電力は小さく、ＢＬの消費電力の方が支配的になる。このため、本実施形態では、画像判定部３５によってチラツキ画像であると判定された場合（通常は、表示部を低リフレッシュ駆動させていると考えられる）、ＢＬ輝度を低下させるので、低リフレッシュ駆動による消費電力の低減効果に加重して、ＢＬ輝度の低下によるＢＬの消費電力の低減効果が重畳的に得られる。以上により、消費電力を抑え、かつ良好な表示を行うことができる。
【００７２】
（変形例１）
なお１つの絵素にはＲＧＢの画素が含まれる。上記の例では、画像判定部３５は、画素の色（ＲＧＢ）に関係なく、画像におけるチラツキ階調の範囲内の階調である画素の割合を判定する。
【００７３】
一方で、画像判定部３５は、ＲＧＢ毎にチラツキ階調の範囲内の階調である画素の割合を求め、該割合に色毎に重みづけをしてもよい。この場合、画像判定部３５は、該割合に色毎に重みづけをした合計値が所定の閾値以上であるか否かを判定する。一般的に、人間のＲＧＢの認識度（視感度）の強さは、Ｒ：Ｇ：Ｂ＝３：６：１であると言われる。すなわち、人間はＧ（緑）画素を強く認識するので、Ｇ画素にチラツキ階調の範囲内の階調が多いと、フリッカが視認され易い。それゆえ、画像判定部３５は、画像の所定の領域において、Ｒ（赤）画素のうちチラツキ階調の範囲内の階調であるＲ画素の割合Ｒｒと、Ｇ画素のうちチラツキ階調の範囲内の階調であるＧ画素の割合Ｒｇと、Ｂ画素のうちチラツキ階調の範囲内の階調であるＢ画素の割合Ｒｂとを求める。画像判定部３５は、重みづけをした合計値として（３×Ｒｒ）＋（６×Ｒｇ）＋（１×Ｒｂ）を求める。画像判定部３５は、この合計値が所定の閾値（例えば、（３＋６＋１）×３０［％］）以上であれば、その画像が、フリッカが視認され易い画像であると判定することができる。
【００７４】
また、画像判定部３５は、ＲＧＢの階調から求めた絵素の輝度Ｙに基づいて、その画像が、フリッカが視認され易い画像であるか否か判定してもよい。画像判定部３５は、各絵素について、例えば輝度Ｙ＝Ｒ階調×0.29891＋Ｇ階調×0.58661＋Ｂ階調×0.11448として、輝度Ｙを求める。画像判定部３５は、絵素の輝度Ｙが所定の範囲（例えば２０〜８０）の中にあれば、その絵素に含まれる複数の画素はチラツキ階調の範囲内の階調であると判定してもよい。すなわち、輝度Ｙが所定の範囲内にある絵素の割合が第１閾値（３０％）以上であれば、フリッカの視認を防止するために、画像の階調が高く変更されるとともに、ＢＬ輝度が低下される。この場合、画像判定部３５は、各絵素の輝度Ｙについてのヒストグラムを記憶すればよいので、各画素の階調についてのヒストグラムを記憶する場合に比べて記憶容量が１／３程度で済む。
【００７５】
〔実施形態２〕
（画像判定方法１）
実施形態１では画像全体における所定の範囲の階調である画素の割合を求めたが、画像の一部の領域において所定の範囲の階調である画素の割合を求めてもよい。
【００７６】
図６（ａ）および（ｂ）は、異なる表示装置の画面を示す図である。画素の容量の均一性は、製造工程に依存する。そのため、表示装置の画面において、画素の容量が均一でない領域は、一定の箇所に偏ることが多い。例えば、図６（ａ）に示す表示装置の例では、画面１１ａの中央に画素の容量が均一でない領域１２が分布している。また、図６（ｂ）に示す表示装置の例では、画面１１ｂの下部に画素の容量が均一でない領域１２が分布している。すなわち、画面全体に同じ階調の画像を表示した場合であっても、図６（ａ）では画面１１ａの中央においてフリッカが視認されやすく、図６（ｂ）では画面１１ｂの下部においてフリッカが視認され易い。
【００７７】
そこで、画素の容量が均一でない領域１２に対応する画像の領域に、フリッカを生じ易い階調の画素が分布しているか否かを判定すれば、その画像がフリッカを生じ易い画像であるか否かを判別することができる。
【００７８】
図６（ａ）の表示装置では、画像判定部３５（領域指定部）は、画像における中央の一部の領域を所定の解析領域１３として指定する。図６（ｂ）の表示装置では、画像判定部３５は、画像における下部の一部の領域を所定の解析領域１３とする。解析領域１３は、画素の容量が均一でない領域１２に対応する領域を含む。そして、画像判定部３５は、解析領域１３におけるチラツキ階調の範囲内（例えば階調２０から８０の範囲）の階調である画素の割合が、第１閾値（例えば３０％）以上であるか否かを判定する。
【００７９】
このように、画面のフリッカが生じ易い領域に対応する画像の一部の領域のみにおいて、中間階調の画素の割合を判定することにより、画素の階調を判定する処理を低減することができる。また、ヒストグラムのための記憶容量も低減することができる。
【００８０】
（画像判定方法２）
画像の中に所定のパターンにマッチする領域があるかを判定することにより、その画像が、フリッカが生じ易い領域を有するかを判定することもできる。
【００８１】
図７（ａ）は、所定のパターン１５を示す図である。パターン１５は、３行×６列の画素で構成される矩形のパターンである。「１」は対応する画素の階調がチラツキ階調の範囲内（階調２０から８０の範囲）内であることを示し、「０」は対応する画素の階調がチラツキ階調の範囲内ではないことを示す。すなわち、パターン１５は、チラツキ階調の範囲内の階調である複数の画素が２次元的に集まって構成されるパターンである。
【００８２】
図７（ｂ）および（ｃ）は、画像の各画素の階調を表す階調マップを示す図である。画像判定部３５は、画像の各画素の階調がチラツキ階調の範囲内の階調であるか否かを判定し、階調マップ１６ａ、１６ｂを生成する。階調マップ１６ａ、１６ｂでは、画素の階調がチラツキ階調の範囲内内であれば値を「１」とし、画素の階調がチラツキ階調の範囲内でなければ値を「０」とする。
【００８３】
図７（ｃ）の階調マップ１６ｂのように、チラツキ階調の範囲内の階調である画素が多く存在しても、チラツキ階調の範囲内の階調である画素が粗に分散していれば、フリッカは視認されにくい。図７（ｂ）の階調マップ１６ａのように、チラツキ階調の範囲内の階調である画素が密に分布している領域が局所的に存在すると、たとえ全体におけるチラツキ階調の範囲内の階調である画素の割合は小さくても、フリッカが視認され易い。すなわち、チラツキ階調の範囲内の階調である画素が一定領域以上固まって存在すると、よりフリッカが視認されやすくなる。
【００８４】
画像判定部３５は、階調マップ１６ａ、１６ｂにおいて所定のパターン１５にマッチする領域が存在するか否かを判定する。制御情報出力部３６は、画像がパターン１５にマッチする領域を有するか否かに応じて、階調・輝度制御信号を出力する。
【００８５】
ある画像の階調マップ１６ａは、パターン１５にマッチする領域１７を有する。そのため、階調マップ１６ａに対応する画像はフリッカを生じ易いので、制御情報出力部３６は、階調・輝度制御信号を出力することを決定する。別の画像の階調マップ１６ｂは、パターン１５にマッチする領域を有しない。そのため、階調マップ１６ｂに対応する画像はフリッカを生じにくいので、制御情報出力部３６は、階調・輝度制御信号を出力しないことを決定する。
【００８６】
このように、画像が所定のパターン１５にマッチするか否かに応じて階調・輝度制御信号を出力するか否かを決定することにより、局所的にフリッカが視認され易い画像（図７（ｂ））の階調を高く変更し、ＢＬ輝度を低下させることで、フリッカの視認を防止するとともに、表示品位を保つことができる。また、チラツキ階調の範囲内の階調である画素が多く含まれるがフリッカが視認されにくい画像（図７（ｃ））については、階調・輝度制御は行わず、無駄な処理を発生させない。
【００８７】
なお、制御情報出力部３６は、１００％の完全なマッチではなくとも、パターン１５に所定の割合（例えば８０％）以上マッチする領域が画像に存在すれば、制御情報出力部３６は、階調・輝度制御信号を出力すると決定してもよい。
【００８８】
なお、上記の例では、画素の色に関係なくパターンマッチを行っているが、絵素毎にパターンマッチを行ってもよい。すなわち、画像判定部３５は、絵素の輝度Ｙが所定の範囲であるかを示す階調マップを生成し、複数の絵素で構成される所定のパターンが画像にマッチするか否かを判定してもよい。また、画像判定部３５は、１つの画像に対してＲＧＢの色毎に階調マップを生成し、各色の階調マップに対して所定のパターンがマッチするか否かを判定してもよい。
【００８９】
〔実施形態３〕
本実施形態では、階調・輝度制御を行うか否かの決定を行う画像判定部および制御情報出力部が、ホスト制御部以外の基板に設けられている。
【００９０】
（表示装置２の構成）
図９は、本実施形態の表示装置の構成を示すブロック図である。表示装置２は、表示部１０、表示駆動部４０、表示制御部５０（制御装置）、ホスト制御部６０、階調制御部８０、およびＢＬ制御部（バックライト制御部）９０を備える。
【００９１】
実施形態１と同様に、表示駆動部４０は、表示部１０のガラス基板にＣＯＧ実装された、ＣＯＧドライバであり、表示部１０の駆動を行う。ホスト制御部６０は、基板上に形成された制御回路で構成される制御基板であり、表示装置２のホスト側の制御を主に担う。表示制御部５０は、表示する画像に対する画像処理等のために、ホスト制御部６０とは別に設けられる制御基板である。本実施形態では、階調・輝度制御を行うか否かの決定を、表示制御部５０で行う。これにより、ホスト制御部６０の負荷を減らし、ホスト制御部６０に表示以外の別の処理を行わせるための処理能力を確保することができる。
【００９２】
（ホスト制御部６０の構成）
ホスト制御部６０は、画面更新検知部６１、ＣＰＵ６２、ホストメモリ３３、およびホストＴＧ３４を備える。
【００９３】
画面更新検知部６１は、画像の内容が変化する間隔を検知して表示制御部５０に通知してもよいし、画像の内容が変化する間隔を検知しなくてもよい。例えば、画像の内容が変化する間隔の検知は、表示制御部５０側で行われてもよい。その他の点については、画面更新検知部６１は、実施形態１の画面更新検知部３１と同様の処理を行う。
【００９４】
ＣＰＵ６２は、画像判定部に画像データを出力しない点を除き、実施形態１のＣＰＵ３２と同様の処理を行う。
【００９５】
ホストＴＧ３４は、表示の更新が必要な時のみ、更新される画像の画像データを表示制御部５０に転送する。
【００９６】
（表示制御部５０の構成）
表示制御部５０は、画像処理部５１、画像判定部５２、制御情報出力部５３、メモリ２１、およびＴＧ２２を備える。
【００９７】
画像処理部５１は、ホスト制御部６０から受け取った画像データに対して、色彩調整等の画像処理を行う。画像処理部５１は、画像処理された画像データをメモリ２１に書き込む。
【００９８】
メモリ２１が格納する画像データが更新されると、画像判定部５２は、メモリ２１から画像データを取得する。画像判定部５２は、画像データが示す画像が、フリッカが生じ易い画像であるか否かを判定する。画像判定部５２の判定処理は、上述の実施形態で説明した通りである。画像判定部５２は、判定結果を制御情報出力部５３に出力する。また、画像判定部５２（更新検知部）は、画像が変化する間隔を検知し、画像が変化する間隔を制御情報出力部５３に出力することができる。
【００９９】
制御情報出力部５３は、表示部１０を駆動するリフレッシュレートを設定し、ＴＧ２２に通知をするとともに、画像判定部３５の判定結果に基づいて、チラツキ画像と判定された画像の階調を高く変更する制御を行わせるための階調制御情報を階調制御部８０に出力するとともに、ＢＬ輝度を低下させる制御を行わせるための輝度制御情報をＢＬ制御部９０に出力する。
【０１００】
階調制御部８０は、制御情報出力部５３から画像更新フラグ（画像更新あり）および階調制御情報を受け取ると、メモリ２１に記録されている画像データを読出し、画像データの階調を所定量だけ高く変更してＴＧ２２に送信する。一方、画像更新フラグ（画像更新あり）を受けとったが、階調制御情報を受け取っていない場合は、メモリ２１から読み出した画像データをそのままＴＧ２２に送信する。
【０１０１】
ＢＬ制御部９０は、制御情報出力部５３から画像更新フラグ（画像更新あり）および輝度制御情報を受けとると、表示部１０のＢＬ輝度を所定量だけ低下させる。一方、画像更新フラグ（画像更新あり）を受けとったが、輝度制御情報を受け取っていない場合は、表示部１０のＢＬ輝度を予め設定されている設定値とする。
【０１０２】
ＴＧ２２は、階調制御部８０から画像データを受け取り、制御情報出力部５３から指示されたリフレッシュレートに基づいて、画像データを表示駆動部４０のソースドライバ２３に転送する。なお、ＴＧ２２は、画像の更新の有無に関わらず、リフレッシュレートに合わせて画像データを表示駆動部４０に転送する。
【０１０３】
表示駆動部４０は、ソースドライバ２３を備える。ソースドライバ２３の構成は実施形態１と同様である。
【０１０４】
〔実施形態４〕
本実施形態では、階調・輝度制御を行うか否かの決定を行う画像判定部および制御情報出力部が、ＣＯＧドライバである表示駆動部に設けられている。
【０１０５】
（表示装置３の構成）
図１０は、本実施形態の表示装置の構成を示すブロック図である。表示装置３は、表示部１０、表示駆動部７０（制御装置）、ホスト制御部６０、階調制御部８０、およびＢＬ制御部（バックライト制御部）９０を備える。ホスト制御部６０の構成は、実施形態４と同様である。ホスト制御部６０は、表示の更新が必要な時のみ、更新される画像の画像データを表示駆動部７０に転送する。
【０１０６】
表示駆動部７０は、表示部１０のガラス基板にＣＯＧ実装された、ＣＯＧドライバであり、表示部１０の駆動を行う。表示駆動部７０は、画像判定部５２、制御情報出力部５３、メモリ２１、ＴＧ２２、およびソースドライバ２３を備える。表示駆動部７０の各部の動作は、実施形態４と同様である。
【０１０７】
本実施形態では、階調・輝度制御を行うか否かの決定を、ＣＯＧドライバ（表示駆動部７０）で行う。これにより、ホスト制御部６０とは別の基板を設けることなく、ホスト制御部６０の負荷を減らすことができる。アクティブマトリクス基板に形成されるＣＯＧドライバは実装面積が制限されるため、本実施形態は、画像判定部５２および制御情報出力部５３において簡単な判定処理のみを行う場合に適している。
【０１０８】
〔実施形態５〕
本実施形態の表示装置４は、実施形態１の表示装置１と比較して、照度検出部１００および階調範囲制御部１１０をさらに備えている点で異なっている。なお、本実施形態では、実施形態１の表示装置１に対して、照度検出部１００および階調範囲制御部１１０を追加した態様を実現しているが、上述した表示装置２および３に対して、照度検出部１００および階調範囲制御部１１０を追加した態様を実現しても良い。
【０１０９】
（表示装置４の構成）
図１１は、本実施形態の表示装置の構成を示すブロック図である。表示装置４は、照度検出部１００および階調範囲制御部１１０以外の構成は、表示装置１と同じである。照度検出部１００は、例えば、照度センサであり、表示装置４の周辺の照度を検出する。
【０１１０】
周辺の照度と、チラツキ階調の範囲との間には相関があり、周辺が明るいとよりチラツキが見えにくくなる傾向がある。そこで、照度検出部１００からの明るさ情報を用いて、より細かく上記の階調・輝度制御を行うことで、よりチラツキを軽減することができる。
【０１１１】
ここで、図８（ａ）および（ｂ）に示すように、下記（１）〜（３）の条件にてチラツキの視認し易さの主観評価を行った。
（１）暗室（０ｌｘ）＋明るさ最大（４００ｃｄ／ｍ２；もっとも見え易い条件）
（２）室内（６００ｌｘ）＋明るさ自動（１４０ｃｄ／ｍ２；通常使用条件）
（３）屋外（２０００ｌｘ）＋明るさ最大（４００ｃｄ／ｍ２；見えにくい条件）
（１）の条件では、階調が２０〜８０の範囲の画素の割合が多いと（３０％以上）、チラツキが見え、階調が２４〜７６の範囲の画素の割合が多いとチラツキが気になる。
【０１１２】
（２）の条件では、階調が２４〜７６の範囲の画素の割合が多いと（３０％以上）、チラツキが見え、階調が２８〜６８の範囲の画素の割合が多いとチラツキが気になる。
【０１１３】
（３）の条件では、チラツキは見えない。
【０１１４】
図８（ａ）に示すとおり、周辺の照度が高いと、チラツキ階調の上限は、低くシフトする傾向があり、チラツキ階調の下限は、高くシフトする傾向がある。
【０１１５】
また、通常使用時のチラツキ範囲については、チラツキが見える範囲の範囲バラツキは小さい。一方、チラツキが気になる範囲には個人差、周辺の明るさ、ＢＬ輝度により範囲バラツキが大きい。
【０１１６】
そこで、階調範囲制御部１１０は、周辺の照度の検出結果に応じて、チラツキ階調の上限および下限のいずれか少なくとも一方を変更するようにしている。
【０１１７】
これにより、チラツキ階調の上限および／または下限を実験などによって適切に設定することにより、ユーザがチラツキを認識しない画像（または全く気にならない画像）までチラツキ画像としての処理を行うことを回避することができる。よって、不必要な処理を行わなくて済むので、より消費電力を低減させることができる。
【０１１８】
なお、上記の各実施形態では、画像判定部３５が画像をチラツキ画像であると判定した場合、制御情報出力部３６は、階調制御情報を出力し、階調制御部８０を制御して階調を高く変更することにより、チラツキ階調の範囲内の画素が多く含まれていることで生じるフリッカの視認し易さを抑制しているが、図２に示す様に階調を暗く変更することによって当該フリッカの視認し易さを抑制してもよい。周囲が暗い場合には画面の暗さは気になりにくい。また、バックライトの輝度を上げる事で、変更前後の各画素の正面輝度の変化を抑制することもできる。例えば、チラツキ階調である範囲内の高い階調の画素はより高い階調へ、低い階調の画素は低い方へずらす処理を行ってもよい。
【０１１９】
また、上記の実施形態では画像判定部３５が画像をチラツキ画像でないと判定した場合、制御情報出力部３６は、階調制御情報および輝度制御情報を出力しないとしているが、階調や輝度を変更しない旨の情報を出力するようにしてもよい。
【０１２０】
〔実施形態６〕
本発明のさらに他の実施形態について、以下に説明する。なお、説明の便宜上、上述の実施形態にて説明した部材と同じ機能を有する部材については、同じ符号を付記し、その説明を省略する。本実施形態では、画像判定部および表示方式切替部が、ホスト制御部以外の基板に設けられている。また、本実施形態では、フリッカの視認防止のため、画像処理を用いた擬似ドット反転技術によって表示を行う。
【０１２１】
（表示装置５の構成）
図１２は、本実施形態の表示装置の構成を示すブロック図である。表示装置５は、表示部１０と、表示駆動部４０と、表示制御部５０（制御装置）と、ホスト制御部６０とを備える。
【０１２２】
実施形態１と同様に、表示駆動部４０は、表示部１０のガラス基板にＣＯＧ実装された、ＣＯＧドライバであり、表示部１０の駆動を行う。ホスト制御部６０は、基板上に形成された制御回路で構成される制御基板であり、表示装置５のホスト側の制御を主に担う。表示制御部５０は、表示する画像に対する画像処理等のために、ホスト制御部６０とは別に設けられる制御基板である。本実施形態では、表示方式の決定および表示方式に応じた画像処理を、表示制御部５０で行う。これにより、ホスト制御部６０の負荷を減らし、ホスト制御部６０に表示以外の別の処理を行わせるための処理能力を確保することができる。
【０１２３】
表示駆動部４０は、ソースドライバ２３を備える。
【０１２４】
（ホスト制御部６０の構成）
ホスト制御部６０は、画面更新検知部６１、ＣＰＵ６２、ホストメモリ３３、およびホストＴＧ３４を備える。
【０１２５】
画面更新検知部６１は、画像の内容が変化する間隔を検知して表示制御部５０に通知してもよいし、画像の内容が変化する間隔を検知しなくてもよい。例えば、画像の内容が変化する間隔の検知は、表示制御部５０側で行われてもよい。その他の点については、画面更新検知部６１は、実施形態１の画面更新検知部３１と同様の処理を行う。
【０１２６】
ＣＰＵ６２は、画像判定部に表示データを出力しない点を除き、実施形態１のＣＰＵ３２と同様の処理を行う。
【０１２７】
ホストＴＧ３４は、表示の更新が必要な時のみ、更新される画像の表示データを表示制御部５０に転送する。
【０１２８】
（表示制御部５０の構成）
表示制御部５０は、画像処理部５１（階調制御部）、画像判定部５２、表示方式切替部５４（制御情報出力部）、メモリ２１、およびＴＧ２２を備える。
【０１２９】
ホスト制御部６０から表示データを受け取ると、画像判定部５２は、表示データが示す画像が、フリッカを視認させやすい特徴を有する画像であるか否かを判定する。画像判定部５２の判定処理は、上述の実施形態で説明した通りである。画像判定部５２は、判定結果を表示方式切替部５４に出力する。また、画像判定部５２（更新検知部）は、画像が変化する間隔を検知し、画像が変化する間隔を表示方式切替部５４に出力することができる。
【０１３０】
表示方式切替部５４は、画像判定部５２の判定結果に基づいて表示方式を決定する。表示方式切替部５４は、画像判定部５２において画像がフリッカを視認させやすい特徴を有しないと判定された場合、その画像を表示する期間において第１表示方式で画像を表示すると決定する。一方、表示方式切替部５４は、画像判定部５２において画像がフリッカを視認させやすい特徴を有するチラツキ画像であると判定された場合、その画像を表示する期間において第２表示方式で画像を表示すると決定する。本実施形態では、第１表示方式は擬似ドット反転処理を行わない表示方式であり、第２表示方式は擬似ドット反転処理を行う表示方式である。表示方式切替部５４は、決定された表示方式に応じた画像処理が行われるよう、表示方式を画像処理部５１に指示する。すなわち、画像がチラツキ画像であると判定された場合、表示方式切替部５４は、画像処理部５１に対して、擬似ドット反転処理によってフリッカが視認されやすい画素の階調を変更する制御を行わせるための階調制御情報を出力する。
【０１３１】
画像処理部５１は、ホスト制御部６０から受け取った表示データに対して、表示方式に応じて擬似ドット反転処理（画像処理）を行う。第１表示方式では、画像処理部５１は、擬似ドット反転処理を行わない。第２表示方式では、画像処理部５１は、擬似ドット反転処理を行う。
【０１３２】
第２表示方式（擬似ドット反転処理）について説明する。画像処理部５１は、ＲＧＢの色毎に、複数の画素に対応する表示データの階調が、同じでありかつ所定の第１範囲（階調２０から８０の範囲）の階調であるような、所定の大きさ以上の領域を検出する。第１範囲の階調の画素が所定の大きさ以上集まった領域は、フリッカを視認させやすい領域である。画像処理部５１は、検出された領域（対象領域）について、対象領域における階調が市松模様のように行方向および、または列方向に不連続になるように、表示データに対して画像処理（擬似ドット反転処理）を行う。
【０１３３】
図１３の（ａ）は、擬似ドット反転処理による表示データの階調の変化を示し、図１３の（ｂ）は、対応する画素の輝度率の変化を示す。図１３においては、Ｒ画素のみに注目している。表示データにおいて、対象領域のＲ画素の階調は５０であるとする。表示データの階調が５０のとき、表示データに対して擬似ドット反転処理を行わなければ、対応する画素における輝度率（または透過率）は１０％になる。輝度率は、最小輝度を０％とし、最大輝度を１００％としたときの輝度の割合（％）である。
【０１３４】
擬似ドット反転処理では、表示データにおける対象領域に対して、ディザリングまたは誤差拡散等の処理を行い、階調値が市松模様のように行方向および列方向に不連続に並ぶように、画像処理を行う。例えば表示データの対象領域における階調が第１範囲（階調２０から８０の範囲）の５０である場合、対象領域について画素ＰＩＸ１、ＰＩＸ４に対応する階調を高く変換し、画素ＰＩＸ１に隣接する画素ＰＩＸ２、ＰＩＸ３に対応する階調を低く変換する。即ち、表示データにおける第１範囲（階調２０から８０の範囲）である複数の画素の階調を、第１範囲外の明るい階調（階調８１から２５５）および／または暗い階調（階調０から１９）に変換する。これにより、フリッカを視認させやすい第１範囲の階調の画素の数を少なくすることができる。
【０１３５】
擬似ドット反転処理を行った場合、輝度率２０％の明るい画素（画素ＰＩＸ１、ＰＩＸ４）と、輝度率０％の暗い画素（画素ＰＩＸ２、ＰＩＸ３）とが市松模様に並ぶ。このとき、擬似ドット反転処理後（変換後）の表示データでは、輝度率２０％に対応する階調１３０の画素と、輝度率０％に対応する階調０の画素とが市松模様に並ぶ。擬似ドット反転処理を行った場合の対象領域における平均輝度率は１０％となる。
【０１３６】
このように、表示データの擬似ドット反転処理を行った場合（第２表示方式）の画素ＰＩＸ１の輝度および画素ＰＩＸ２の平均輝度と、表示データの擬似ドット反転処理を行わない場合（第１表示方式）の画素ＰＩＸ１の輝度とが同じになるように、階調変換（画像処理）を行うと、変更前後の正面輝度の変化を抑制することができる。ただし、変更前後の正面輝度の変化を厳密ではなく許容されるレベルに抑制してもよい。
【０１３７】
ここでは表示データにおける対象領域の階調が一様である場合について説明したが、対象領域の階調がグラデーションのようにわずかに異なっていても、変換前の対象領域の平均輝度と、変換後の対象領域の平均輝度とが同じになるように、かつ、階調の分布（明暗の分布）が市松模様（ディザパターン状）になるように、階調変換を行えばよい。
【０１３８】
（表示装置５の効果）
このように、画像処理部５１は、表示データにおける第１範囲（階調２０から８０の範囲）である複数の画素の階調を、第１範囲外の明るい階調（階調８１から２５５）および／または暗い階調（階調０から１９）に変換する。これにより、フリッカを視認させやすい第１範囲の階調の画素の数を少なくすることができる。また、階調を変換した領域の平均輝度は、変換前の平均輝度と同じである。そのため、利用者には第２表示方式で表示を行っても第１表示方式と同じ画像を表示しているように見える。それゆえ、表示装置５は、画像の表示品位を保ちながら、フリッカが視認されるのを防止することができる。
【０１３９】
また、画像処理を行えば消費電力は増加する。本実施形態においても表示装置５は、画像がフリッカを視認させやすいと判定した時のみ、擬似ドット反転処理を行う。それゆえ、表示装置５は、消費電力の増加を抑えて、フリッカが視認されるのを防止することができる。
【０１４０】
なお、本実施形態で説明した擬似ドット反転処理を行う画像処理部５１、画像判定部５２、および表示方式切替部５３は、ホスト制御部に設けられていてもよい。
【０１４１】
また、上記各実施形態において、階調を高く変更した後に、再度チラツキ画像か否かを判定し、その結果、チラツキ画像であると判断されれば、再度階調を上げる処理を行うよう構成してもよい。
【０１４２】
また、上記各実施形態において、チラツキ画像であると判断された場合にチラツキが視認される画素の全部の階調を処理するのではなく、チラツキが視認されない程度に部分的に処理を行ってもよい。その場合、処理対象となる画素数が低減されることにより、画像処理の負荷が低減できる効果がある。
【０１４３】
〔まとめ〕
本発明の態様１に係る制御装置は、表示装置（１〜５）の制御装置であって、画像がフリッカを視認させ易い特徴を有するチラツキ画像であるか否かを判定する画像判定部（３５）と、上記画像判定部によって上記画像が上記チラツキ画像であると判定された場合に、当該チラツキ画像の階調を変更する制御を行う階調制御部（８０）に対して、フリッカが視認されやすい画素の当該階調を高くまたは低く変更する制御を行わせるための階調制御情報を出力する制御情報出力部（３６）と、を備えている構成である。
【０１４４】
また、本発明の態様１４に係る表示装置の制御方法は、表示装置の制御方法であって、画像がフリッカを視認させ易い特徴を有するチラツキ画像であるか否かを判定する画像判定ステップと、上記画像判定ステップで上記画像が上記チラツキ画像であると判定された場合に、当該チラツキ画像の階調を変更する制御を行う階調制御部に対して、フリッカが視認されやすい画素の当該階調を高くまたは低く変更する制御を行わせるための階調制御情報を出力する制御情報出力ステップと、を含む方法である。
【０１４５】
フリッカの視認し易さは、階調に大きく依存し、階調が中間階調（特に階調１０以上の中間階調において低階調側）である程、顕著になる傾向がある。そこで、上記構成または方法によれば、画像判定部が、画像がチラツキ画像であると判定した場合、制御信号出力部は、階調制御情報を出力し、階調制御部を制御してフリッカが視認されやすい画素の階調を高くまたは低く変更している。これにより、チラツキ階調の範囲内の画素が多く含まれていることで生じるフリッカの視認し易さを抑制できる。
【０１４６】
また、本発明の態様２に係る制御装置は、上記態様１において、上記画像判定部によって上記画像が上記チラツキ画像であると判定された場合に、当該チラツキ画像の階調を変更する制御を行う階調制御部に対して、フリッカが視認されやすい画素を含む当該画像の全体または一部の階調を高くまたは低く変更する制御を行わせるための階調制御情報を出力しても良い。
【０１４７】
チラツキ階調はバックライトの輝度によらず同じであるが、ＢＬ輝度が暗い場合には人の目には見えにくいという傾向がある。
【０１４８】
そこで、本発明の態様３に係る制御装置は、上記態様１または２において、バックライトを備えた表示装置の制御装置であって、上記画像判定部によって上記画像が上記チラツキ画像であると判定された場合に、上記バックライトの輝度の制御を行うバックライト制御部に対して、当該輝度を低下または上昇させる制御を行わせるための輝度制御情報を出力する制御情報出力部を備えていても良い。
【０１４９】
上記構成により、画像判定部が、画像がチラツキ画像であると判定した場合、制御信号出力部は、輝度制御情報を出力し、バックライト制御部（以下、バックライトを「ＢＬ」と略称する）を制御して輝度を低下させる。よって、ＢＬ輝度が明るいことによるフリッカの視認し易さを抑制できる。
【０１５０】
さらに、上記のように、階調を高くし、かつ、ＢＬ輝度を低下させれば、変更前後の各画素の正面輝度の変化を抑制することができるため、表示品位の変化を抑制することもできる。
【０１５１】
一方、フリッカの視認し易さは、駆動周波数にも大きく依存し、リフレッシュレートが低下する程、顕著になる傾向がある。このため、上記制御情報が出力される場合、通常は、表示部を低リフレッシュ駆動させている蓋然性が高い。また、低リフレッシュ駆動であれば、表示部の駆動電力は小さく、ＢＬの消費電力の方が支配的になる。このため、上記構成また方法によれば、チラツキ画像であると判定された場合（通常は、表示部を低リフレッシュ駆動させていると考えられる）、ＢＬ輝度を低下させるので、低リフレッシュ駆動による消費電力の低減効果に加重して、ＢＬ輝度の低下によるＢＬの消費電力の低減効果が重畳的に得られる。以上により、消費電力を抑え、かつ良好な表示を行うことができる。
【０１５２】
なお、階調を低くし、かつ、ＢＬ輝度を上昇させても、同様に変更前後の各画素の正面輝度の変化を抑制することができる。
【０１５３】
また、本発明の態様４に係る制御装置は、上記各態様において、上記画像判定部は、上記画像における複数の画素のうち、中間階調の範囲内において上記フリッカが生じ易い階調として予め定められたチラツキ階調の範囲内の階調である画素の割合が第１閾値以上であるか否かを判定することで、上記画像が上記チラツキ画像であるか否かを判定しても良い。
【０１５４】
上記構成によれば、画像中のチラツキ階調の範囲内の階調である画素（以下、単に「チラツキ画素」という）の割合に閾値（第１閾値）を設定している。よって、この第１閾値を実験などによって適切に設定することにより、ユーザがチラツキを認識しない画像までチラツキ画像としての処理を行うことを回避することができる。よって、不必要な処理を行わなくて済むので、より消費電力を低減させることができる。
【０１５５】
また、本発明の態様５に係る制御装置は、上記態様４において、上記表示装置の周辺の照度の検出結果に応じて、上記チラツキ階調の上限および下限のいずれか少なくとも一方を変更する階調範囲制御部を備えていても良い。
【０１５６】
周辺の照度と、チラツキ階調の範囲との間には相関があり、周辺が明るいとよりチラツキが見えにくくなる傾向がある。このため、周辺の照度が高いと、チラツキ階調の上限は、低くシフトする傾向があり、チラツキ階調の下限は、高くシフトする傾向がある。そこで、上記構成では、階調範囲制御部が、周辺の照度の検出結果に応じて、上記チラツキ階調の上限および下限のいずれか少なくとも一方を変更するようにしている。よって、チラツキ階調の上限および／または下限を実験などによって適切に設定することにより、ユーザがチラツキを認識しない画像までチラツキ画像としての処理を行うことを回避することができる。よって、不必要な処理を行わなくて済むので、より消費電力を低減させることができる。
【０１５７】
また、本発明の態様６に係る制御装置は、上記態様１〜５において、上記画像判定部は、上記表示装置に上記画像を所定のリフレッシュレート以下で表示させる場合に、上記画像が上記チラツキ画像であるか否かを判定しても良い。
【０１５８】
上記構成によれば、チラツキが視認され易いか否かの境目としての所定のリフレッシュレートを実験などによって適切に設定することにより、ユーザがチラツキを認識しないようなリフレッシュレートで駆動されている場合にまで、必要以上にチラツキ画像か否かの判定を行わなくて済むので、より消費電力を低減させることができる。
【０１５９】
また、本発明の態様７に係る制御装置は、上記態様３において、上記階調制御情報および上記輝度制御情報のそれぞれは、上記表示装置に上記画像を表示するときの当該画像における複数の画素のそれぞれの正面輝度を変化させないように設定される、上記チラツキ画像の階調を高く変更する制御を行う場合の階調の変化の度合い、および、上記バックライトの輝度を低下させる制御を行う場合の輝度の変化の度合いに関する情報を含んでも良い。
【０１６０】
上記構成によれば、各画素の正面輝度が変化しないので、より良好な表示を行うことができる。
【０１６１】
また、本発明の態様８に係る制御装置は、上記態様３および４において、上記制御情報出力部は、上記チラツキ階調の範囲内の階調である画素の割合が上記第１閾値未満である場合、上記階調制御情報および／または上記輝度制御情報を出力せず、上記チラツキ階調の範囲内の階調である画素の割合が上記第１閾値以上である場合、上記階調制御情報および／または上記輝度制御情報を出力しても良い。
【０１６２】
上記構成によれば、第１閾値を実験などによって適切に設定することにより、ユーザがチラツキを認識しない画像までチラツキ画像としての処理を行うことを回避することができる。よって、不必要な処理を行わなくて済むので、より消費電力を低減させることができる。
【０１６３】
また、本発明の態様９に係る制御装置は、上記態様３および４において、上記画像の内容が変化する間隔を検知する更新検知部を備え、上記制御情報出力部は、上記間隔が所定の間隔閾値以下である場合、または、上記間隔が上記間隔閾値より大きくかつ上記チラツキ階調の範囲内の階調である画素の割合が上記第１閾値未満である場合、上記階調制御情報および／または上記輝度制御情報を出力せず、上記間隔が上記間隔閾値より大きくかつ上記チラツキ階調の階調である画素の割合が上記第１閾値以上である場合、上記階調制御情報および／または上記輝度制御情報を出力しても良い。
【０１６４】
上記構成によれば、間隔閾値を実験などによって適切に設定することにより、ユーザがチラツキを認識しない間隔で画像が表示されている場合にまでチラツキ画像としての処理を行うことを回避することができる。よって、不必要な処理を行わなくて済むので、より消費電力を低減させることができる。
【０１６５】
また、本発明の態様１０に係る制御装置は、上記態様４において、１つの絵素は、色の異なる複数の画素を含み、上記画像判定部は、上記画像における上記チラツキ階調の範囲内の階調である画素の割合に、色毎に重みづけをした合計値を求め、上記合計値が第２閾値以上であるか否かを判定しても良い。
【０１６６】
一般的に、人間の視感度は、色相ごとに異なっている。このため、視感度の高い色相の画素の重みづけを重くし、視感度の低い色相の画素の重みづけを低くすることにより、人間の視感度に応じた画像判定が可能になる。これにより、人間の視感度によってはフリッカが視認されないような場合にまで不必要な処理を行わなくて済むので、より消費電力を低減させることができる。
【０１６７】
また、本発明の態様１１に係る制御装置は、上記態様４において、１つの絵素は、色の異なる複数の画素を含み、上記画像判定部は、上記絵素に含まれる上記複数の画素の階調から上記絵素の輝度を求め、上記絵素の輝度が所定の輝度範囲の範囲内にあれば、上記絵素に含まれる上記複数の画素は上記チラツキ階調の範囲内の階調であると判定しても良い。
【０１６８】
上記構成によれば、例えば、画像判定部が記憶部を備えているような場合に、各絵素の輝度に関する情報を記憶すればよいので、各画素の階調に関する情報を記憶する場合に比べて記憶容量が１／３程度で済む。
【０１６９】
また、本発明の態様１２に係る制御装置は、上記態様４において、上記画像判定部は、上記チラツキ階調の範囲内の階調である複数の画素で構成される所定のパターンが上記画像中に存在するか否かを判定することで、上記画像が上記チラツキ画像であるか否かを判定しても良い。
【０１７０】
チラツキ階調である画素が密に分布している領域が局所的に存在すると、たとえ全体におけるチラツキ階調である画素の割合は小さくても、フリッカが視認されやすい。すなわち、チラツキ階調である画素が一定領域以上固まって存在すると、よりフリッカが視認されやすくなる。このような局所的なチラツキ階調である画素の集合体をパターン化して、パターンマッチングを行うことにより、画像中のチラツキ画素の割合は小さいが、局所的なチラツキ階調である画素の集合体の存在によってチラツキが視認されるような画像についてもチラツキ画像と判定されるようにすることができる。
【０１７１】
また、本発明の態様１３に係る表示装置は、上記態様１〜１２に記載の制御装置と、上記階調制御情報を受けて、上記チラツキ画像の階調を変更する制御を行う階調制御部とを備えていても良い。上記表示装置はさらに、上記輝度制御情報を受けて、上記バックライトの輝度を上昇／または低下させる制御を行うバックライト制御部を備えていても良い。
【０１７２】
上記構成において、画素の階調を高くするとともにバックライトの輝度を低下させる制御を行えば、消費電力を抑え、かつ良好な表示を行うことができる表示装置を実現できる。
【０１７３】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１７４】
本発明は、表示装置および該表示装置の制御装置に利用することができる。例えば、液晶表示装置、液晶表示装置のホスト制御部、液晶ドライバ、液晶ドライバコントローラ（ＬＣＤＣ）などに好適である。
【符号の説明】
【０１７５】
１、２、３、４、５    表示装置
１０    表示部
１１ａ〜１１ｄ    画面
１３、１３ａ〜１３ｈ    解析領域
１５    パターン
１６ａ、１６ｂ    階調マップ
２０、４０、７０    表示駆動部（制御装置）
３０、６０    ホスト制御部（制御装置）
３１、６１    画面更新検知部
３５、５２    画像判定部
３６、５３    制御情報出力部
５０    表示制御部（制御装置）
５１    画像処理部（階調制御部）
５４    表示方式切替部（制御情報出力部）
８０    階調制御部
９０    バックライト制御部
【図１】
2014211535.tif 000003
【図２】
2014211535.tif 000004
【図３】
2014211535.tif 000005
【図４】
2014211535.tif 000006
【図５】
2014211535.tif 000007
【図６】
2014211535.tif 000008
【図７】
2014211535.tif 000009
【図８】
2014211535.tif 000010
【図９】
2014211535.tif 000011
【図１０】
2014211535.tif 000012
【図１１】
2014211535.tif 000013
【図１２】
2014211535.tif 000014
【図１３】
2014211535.tif 000015